(57)【要約】      （修正有）【課題】ＮＯＤ−ｌｉｋｅ受容体ファミリー、例えばＰＹＲＩＮインフラマソーム／ＮＯＤ２ノドソームの機能を調節し、関連疾患の治療及び／又は予防に有効な化合物を提供する。【解決手段】ＰＹＲＩＮインフラマソームを構成するＰＹＲＩＮとＡＳＣをコムギ無細胞タンパク質合成技術で合成し、ａｍｐｌｉｆｉｅｄ  ｌｕｍｉｎｅｓｃｅｎｔ  ｐｒｏｘｉｍｉｔｙ  ｈｏｍｏｇｅｎｅｏｕｓ  ａｓｓａｙを組み合わせ、試験管内無細胞ＰＹＲＩＮインフラマソーム再構成システムを構築し、また、ＮＯＤ２ノドソームを構成するＮｏｄ２とＲＩＰＫ２をコムギ無細胞タンパク質合成技術で合成し、ａｍｐｌｉｆｉｅｄ  ｌｕｍｉｎｅｓｃｅｎｔ  ｐｒｏｘｉｍｉｔｙ  ｈｏｍｏｇｅｎｅｏｕｓ  ａｓｓａｙを組み合わせ、試験管内無細胞ＮＯＤ２ノドソーム再構成システムを構築し、ＰＹＲＩＮインフラマソームとＮＯＤ２ノドソームの機能を調節する化合物。【選択図】なし【特許請求の範囲】
【請求項１】
第１標識で標識されたカスパーゼリクルートドメインを有する第１タンパク質と第２標識で標識されたカスパーゼリクルートドメインを有する第２タンパク質とを接触させる第１接触工程と、
第１標識と第２標識との近接を検出する第１近接検出工程
とを含むことを特徴とする、カスパーゼリクルートドメインを有するタンパク質間の相互作用を検出する方法。
【請求項２】
第１タンパク質が、配列番号１のアミノ酸配列を含む、請求項１記載の方法。
配列番号１：ＲＩＰＫ２（ＣＡＲＤ）
KAQDCYFMKLHHCPGNHSWDSTISGSQRAAFCDHKTTPCSSAIINPLSTAGNSERLQPGIAQQWIQSKREDIVNQMTEACLNQSLDALLSRDLIMKEDYELVSTKPTRTSKVRQLLDTTDIQGEEFAKVIVQKLKDNKQMGLQPYPEILVVSRSPSLNLLQNKSM
【請求項３】
第１タンパク質が、配列番号２のアミノ酸配列を含む、請求項１または２記載の方法。
配列番号２：ＲＩＰＫ２（ＣＡＲＤ）−ＦＬＡＧ
MKAQDCYFMKLHHCPGNHSWDSTISGSQRAAFCDHKTTPCSSAIINPLSTAGNSERLQPGIAQQWIQSKREDIVNQMTEACLNQSLDALLSRDLIMKEDYELVSTKPTRTSKVRQLLDTTDIQGEEFAKVIVQKLKDNKQMGLQPYPEILVVSRSPSLNLLQNKSMSGASAGDPAFLYKVVDYKDDDDK
【請求項４】
第２タンパク質が、配列番号３のアミノ酸配列を含む、請求項１〜３のいずれか一項に記載の方法。
配列番号３：ＮＯＤ２
MGEEGGSASHDEEERASVLLGHSPGCEMCSQEAFQAQRSQLVELLVSGSLEGFESVLDWLLSWEVLSWEDYEGFHLLGQPLSHLARRLLDTVWNKGTWACQKLIAAAQEAQADSQSPKLHGCWDPHSLHPARDLQSHRPAIVRRLHSHVENMLDLAWERGFVSQYECDEIRLPIFTPSQRARRLLDLATVKANGLAAFLLQHVQELPVPLALPLEAATCKKYMAKLRTTVSAQSRFLSTYDGAETLCLEDIYTENVLEVWADVGMAGPPQKSPATLGLEELFSTPGHLNDDADTVLVVGEAGSGKSTLLQRLHLLWAAGQDFQEFLFVFPFSCRQLQCMAKPLSVRTLLFEHCCWPDVGQEDIFQLLLDHPDRVLLTFDGFDEFKFRFTDRERHCSPTDPTSVQTLLFNLLQGNLLKNARKVVTSRPAAVSAFLRKYIRTEFNLKGFSEQGIELYLRKRHHEPGVADRLIRLLQETSALHGLCHLPVFSWMVSKCHQELLLQEGGSPKTTTDMYLLILQHFLLHATPPDSASQGLGPSLLRGRLPTLLHLGRLALWGLGMCCYVFSAQQLQAAQVSPDDISLGFLVRAKGVVPGSTAPLEFLHITFQCFFAAFYLALSADVPPALLRHLFNCGRPGNSPMARLLPTMCIQASEGKDSSVAALLQKAEPHNLQITAAFLAGLLSREHWGLLAECQTSEKALLRRQACARWCLARSLRKHFHSIPPAAPGEAKSVHAMPGFIWLIRSLYEMQEERLARKAARGLNVGHLKLTFCSVGPTECAALAFVLQHLRRPVALQLDYNSVGDIGVEQLLPCLGVCKALYLRDNNISDRGICKLIECALHCEQLQKLALFNNKLTDGCAHSMAKLLACRQNFLALRLGNNYITAAGAQVLAEGLRGNTSLQFLGFWGNRVGDEGAQALAEALGDHQSLRWLSLVGNNIGSVGAQALALMLAKNVMLEELCLEENHLQDEGVCSLAEGLKKNSSLKILKLSNNCITYLGAEALLQALERNDTILEVWLRGNTFSLEEVDKLGCRDTRLLL
【請求項５】
第２タンパク質が、配列番号４のアミノ酸配列を含む、請求項１〜４のいずれか一項に記載の方法。
配列番号４：ＮＯＤ２−ｂｉｏｔｉｎ
MGEEGGSASHDEEERASVLLGHSPGCEMCSQEAFQAQRSQLVELLVSGSLEGFESVLDWLLSWEVLSWEDYEGFHLLGQPLSHLARRLLDTVWNKGTWACQKLIAAAQEAQADSQSPKLHGCWDPHSLHPARDLQSHRPAIVRRLHSHVENMLDLAWERGFVSQYECDEIRLPIFTPSQRARRLLDLATVKANGLAAFLLQHVQELPVPLALPLEAATCKKYMAKLRTTVSAQSRFLSTYDGAETLCLEDIYTENVLEVWADVGMAGPPQKSPATLGLEELFSTPGHLNDDADTVLVVGEAGSGKSTLLQRLHLLWAAGQDFQEFLFVFPFSCRQLQCMAKPLSVRTLLFEHCCWPDVGQEDIFQLLLDHPDRVLLTFDGFDEFKFRFTDRERHCSPTDPTSVQTLLFNLLQGNLLKNARKVVTSRPAAVSAFLRKYIRTEFNLKGFSEQGIELYLRKRHHEPGVADRLIRLLQETSALHGLCHLPVFSWMVSKCHQELLLQEGGSPKTTTDMYLLILQHFLLHATPPDSASQGLGPSLLRGRLPTLLHLGRLALWGLGMCCYVFSAQQLQAAQVSPDDISLGFLVRAKGVVPGSTAPLEFLHITFQCFFAAFYLALSADVPPALLRHLFNCGRPGNSPMARLLPTMCIQASEGKDSSVAALLQKAEPHNLQITAAFLAGLLSREHWGLLAECQTSEKALLRRQACARWCLARSLRKHFHSIPPAAPGEAKSVHAMPGFIWLIRSLYEMQEERLARKAARGLNVGHLKLTFCSVGPTECAALAFVLQHLRRPVALQLDYNSVGDIGVEQLLPCLGVCKALYLRDNNISDRGICKLIECALHCEQLQKLALFNNKLTDGCAHSMAKLLACRQNFLALRLGNNYITAAGAQVLAEGLRGNTSLQFLGFWGNRVGDEGAQALAEALGDHQSLRWLSLVGNNIGSVGAQALALMLAKNVMLEELCLEENHLQDEGVCSLAEGLKKNSSLKILKLSNNCITYLGAEALLQALERNDTILEVWLRGNTFSLEEVDKLGCRDTRLLLSGASAGDPAFLYKVVGLNDIFEAQKIEWHE
【請求項６】
第３標識で標識されたパイリンドメインを有する第３タンパク質と第４標識で標識されたパイリンドメインを有する第４タンパク質とを接触させる第２接触工程と、
第３標識と第４標識との近接を検出する第２近接検出工程
とを含むことを特徴とする、パイリンドメインを有するタンパク質間の相互作用を検出する方法。
【請求項７】
第３タンパク質が、配列番号５のアミノ酸配列を含む、請求項６記載の方法。
配列番号５：ＡＳＣ（ＰＹＤ）
MGRARDAILDALENLTAEELKKFKLKLLSVPLREGYGRIPRGALLSMDALDLTDKLVSFYLETYGAELTANVLRDMGLQEMAGQLQAATHQ
【請求項８】
第３タンパク質が、配列番号６のアミノ酸配列を含む、請求項６または７記載の方法。
配列番号６：ＦＬＡＧ−ＡＳＣ（ＰＹＤ）MDYKDDDDKTSLYKKAGFHPPPPMGRARDAILDALENLTAEELKKFKLKLLSVPLREGYGRIPRGALLSMDALDLTDKLVSFYLETYGAELTANVLRDMGLQEMAGQLQAATHQSGASAGDPAFLYKVV
【請求項９】
第４タンパク質が、配列番号７のアミノ酸配列を含む、請求項６〜８のいずれか一項に記載の方法。
配列番号７：ＰＹＲＩＮ（ＰＹＤ）
MAKTPSDHLLSTLEELVPYDFEKFKFKLQNTSVQKEHSRIPRSQIQRARPVKMATLLVTYYGEEYAVQLTLQVLRAINQRLLAEELHRAAIQEYSTQENG
【請求項１０】
第４タンパク質が、配列番号８のアミノ酸配列を含む、請求項６〜９のいずれか一項に記載の方法。
配列番号８：ＰＹＲＩＮ（ＰＹＤ）−ｂｉｏｔｉｎ
MAKTPSDHLLSTLEELVPYDFEKFKFKLQNTSVQKEHSRIPRSQIQRARPVKMATLLVTYYGEEYAVQLTLQVLRAINQRLLAEELHRAAIQEYSTQENGSGASAGDPAFLYKVVGLNDIFEAQKIEWHE
【請求項１１】
第１〜第４タンパク質が、コムギ無細胞タンパク質合成系により合成されたタンパク質である、請求項１〜１０のいずれか一項に記載の方法。
【請求項１２】
第１〜第４標識が、Ａｌｐｈａ用標識であり、
第１近接検出工程において、第１標識と第２標識との近接を、Ａｌｐｈａ法により検出し、
第２近接検出工程において、第３標識と第４標識との近接を、Ａｌｐｈａ法により検出する、請求項１〜１１のいずれか一項に記載の方法。
【請求項１３】
被験物質を、第１標識で標識されたカスパーゼリクルートドメインを有する第１タンパク質および／または第２標識で標識されたカスパーゼリクルートドメインを有する第２タンパク質と接触させる第１前処理工程、
請求項１〜５、１１および１２のいずれか一項に記載の方法により、第１タンパク質と第２タンパク質との相互作用を検出する第１相互作用検出工程、
第１タンパク質と第２タンパク質との相互作用を減少させる被験物質を、相互作用阻害剤として選択し、および／または、第１タンパク質と第２タンパク質との相互作用を増加させる被験物質を、相互作用促進剤として選択する第１選択工程
とを含むことを特徴とする、カスパーゼリクルートドメインを有するタンパク質間の相互作用阻害剤および／または促進剤のスクリーニング方法。
【請求項１４】
第１タンパク質が、ノドソームのサブユニットに由来するアミノ酸配列を含み、第２タンパク質が、前記サブユニットとは別の前記ノドソームのサブユニットに由来するアミノ酸配列を含み、
第１選択工程において、第１タンパク質と第２タンパク質との相互作用を減少させる被験物質を、ノドソーム阻害剤として選択し、および／または、第１タンパク質と第２タンパク質との相互作用を増加させる被験物質を、ノドソーム促進剤として選択する、請求項１３記載のスクリーニング方法。
【請求項１５】
第１タンパク質が、配列番号１のアミノ酸配列を含み、第２タンパク質が、配列番号３のアミノ酸配列を含み、
第１選択工程において、第１タンパク質と第２タンパク質との相互作用を減少させる被験物質を、ＮＯＤ２ノドソーム阻害剤として選択する、請求項１３または１４記載のスクリーニング方法。
【請求項１６】
被験物質を、第３標識で標識されたパイリンドメインを有する第３タンパク質および／または第４標識で標識されたパイリンドメインを有する第４タンパク質と接触させる第２前処理工程、
請求項６〜１２のいずれか一項に記載の方法により、第３タンパク質と第４タンパク質との相互作用を検出する第２相互作用検出工程、ならびに
第３タンパク質と第４タンパク質との相互作用を減少させる被験物質を、相互作用阻害剤として選択し、および／または、第３タンパク質と第４タンパク質との相互作用を増加させる被験物質を、相互作用促進剤として選択する第２選択工程
を含むことを特徴とする、パイリンドメインを有するタンパク質間の相互作用阻害剤および／または促進剤のスクリーニング方法。
【請求項１７】
第３タンパク質が、インフラマソームのサブユニットに由来するアミノ酸配列を含み、第４タンパク質が、前記インフラマソームのサブユニットとは別の前記インフラマソームのサブユニットに由来するアミノ酸配列を含み、
第２選択工程において、第３タンパク質と第４タンパク質との相互作用を減少させる被験物質を、インフラマソーム阻害剤として選択し、および／または、第３タンパク質と第４タンパク質との相互作用を増加させる被験物質を、インフラマソーム促進剤として選択する、請求項１６記載のスクリーニング方法。
【請求項１８】
第３タンパク質が、配列番号５のアミノ酸配列を含み、第４タンパク質が、配列番号８のアミノ酸配列を含み、
第２選択工程において、第３タンパク質と第４タンパク質との相互作用を減少させる被験物質を、ＰＹＲＩＮインフラマソーム阻害剤として選択する、請求項１６または１７記載のスクリーニング方法。
【請求項１９】
請求項１５記載のスクリーニング方法により、ＮＯＤ２ノドソーム阻害剤をスクリーニングする工程と、
請求項１８記載のスクリーニング方法により、ＰＹＲＩＮインフラマソーム阻害剤をスクリーニングする工程
とを含むＮＯＤ２ノドソーム／ＰＹＲＩＮインフラマソーム阻害剤のスクリーニング方法。
【請求項２０】
請求項１〜１９のいずれか一項に記載の方法により得られる、以下：
式（Ｉ）：
【化３】
2018173409.tif 000015
で示される化合物及び／又は
式（ＩＩ）：
【化４】
2018173409.tif 000016
で示される化合物、或いはそれらの医薬として許容し得る塩。
【請求項２１】
請求項２０に記載の式（Ｉ）で示される化合物及び／又は式（ＩＩ）で示される化合物、或いはそれらの医薬として許容し得る塩を有効成分として含有する、ＮＯＤ−ｌｉｋｅ受容体ファミリー関連疾患の予防又は治療剤。
【請求項２２】
ＮＯＤ−ｌｉｋｅ受容体ファミリー関連疾患が、ＰＹＲＩＮインフラマソーム関連疾患又はＮＯＤ２ノドソーム関連疾患である、請求項２１に記載の予防又は治療剤。
【請求項２３】
ＰＹＲＩＮインフラマソーム関連疾患が、家族性地中海熱（ＦＭＦ）（周期的な発熱発作と漿膜炎が特徴）である、請求項２１又は２２に記載の予防又は治療剤。
【請求項２４】
ＮＯＤ２ノドソーム関連疾患が、Ｂｌａｕ症候群／若年性サルコイドーシス（皮下脂肪織肉芽種とぶどう膜炎）である、請求項２１又は２に記載の予防又は治療剤。
【請求項２５】
（ａ）請求項２０記載の式（Ｉ）の化合物及び／又は式（ＩＩ）の化合物、或いはその医薬として許容し得る塩、及び
（ｂ）医薬的に許容される担体
を含む、ＮＯＤ−ｌｉｋｅ受容体ファミリー関連疾患の予防又は治療のための医薬組成物。
【請求項２６】
ＮＯＤ−ｌｉｋｅ受容体ファミリー関連疾患の処置方法であって、必要な対象に、有効量の請求項１記載の式（Ｉ）の化合物及び／又は式（ＩＩ）の化合物、或いはその医薬として許容し得る塩を投与することを含む、方法。
【請求項２７】
ＮＯＤ−ｌｉｋｅ受容体ファミリー関連疾患の治療的及び／又は予防的処置における使用のための、請求項１記載の式（Ｉ）の化合物及び／又は式（ＩＩ）の化合物、或いはその医薬として許容し得る塩。
【請求項２８】
ＮＯＤ−ｌｉｋｅ受容体ファミリー関連疾患の治療的及び／又は予防的処置のための医薬の製造における請求項１記載の式（Ｉ）の化合物及び／又は式（ＩＩ）の化合物、或いはその医薬として許容し得る塩の使用。
【発明の詳細な説明】
【技術分野】
【０００１】
本発明は、ＮＯＤ−ｌｉｋｅ受容体ファミリー、例えばＰＹＲＩＮインフラマソーム／ＮＯＤ２ノドソームの機能を調節する化合物を無細胞条件で探索する方法及び、ＰＹＲＩＮインフラマソーム／ＮＯＤ２ノドソームの調節剤、ＰＹＲＩＮインフラマソーム／ＮＯＤ２ノドソームに関連する疾患の治療のための化合物の使用方法に関する。
【背景技術】
【０００２】
ＮＯＤ−ｌｉｋｅ受容体（Ｎｕｃｌｅｏｔｉｄｅ  ｂｉｎｄｉｎｇ  ｏｌｉｇｏｍｅｒｉｚａｔｉｏｎ  ｄｏｍａｉｎ−ｌｉｋｅ  ｒｅｃｅｐｔｏｒ：ＮＬＲ）は、ＮＬＲと呼ばれ、３０を超える大きなファミリーをなしている。ＮＬＲの変異による免疫応答の異常は自己炎症疾患などの免疫疾患の原因となる。
【０００３】
炎症は傷害に対する生体の防御的な反応である。この生体の防御反応には様々な因子が関与していると考えられるが、多様な生理活性を持つ炎症性サイトカインのひとつであるインターロイキン１β（ＩＬ−１β）は特に重要な役割を担っていると考えられている。インフラマソームは、このＩＬ−１β産生を制御する細胞内のタンパク質複合体である。
【０００４】
インフラマソームは、細胞質内の異物（病原微生物成分や尿酸結晶など）をＮＯＤ−ｌｉｋｅ  ｒｅｃｅｐｔｏｒｓ（ＮＬＲｓ）に分類されるＮＬＲＣ４、ＮＬＲＰ１、ＮＬＲＰ３などを介して宿主細胞に対するｄａｎｇｅｒ  ｓｉｇｎａｌとして認識し、シグナル伝達分子ａｐｏｐｔｏｓｉｓ−ａｓｓｏｃｉａｔｅｄ  ｓｐｅｃｋ−ｌｉｋｅ  ｐｒｏｔｅｉｎ  ｃｏｎｔａｉｎｉｎｇ  ａ  ＣＡＲＤ（ＡＳＣ）を介して、非活性型のｐｒｏｃａｓｐａｓｅ−１を活性型のｃａｓｐａｓｅ−１にし、ｃａｓｅｐａｓｅ−１はｐｒｏ−ＩＬ−１βやｐｒｏ−ＩＬ−１８を炎症性サイトカインとして実際に働くＩＬ−１βやＩＬ−１８にし、炎症反応の誘導や進展に重要な役割を果たしていることが明らかになっている。
【０００５】
ノドソームは、細胞質内の細菌細胞壁のペプチドグリカンの構成成分であるＭＤＰやｉＥＤＡＰをＮＯＤ−ｌｉｋｅ  ｒｅｃｅｐｔｏｒｓ（ＮＬＲｓ）に分類されるＮＯＤ１、ＮＯＤ２などを介して、宿主細胞に対するｄａｎｇｅｒ  ｓｉｇｎａｌとして認識し、シグナル伝達分子ｒｅｃｅｐｔｏｒ  ｉｎｔｅｒａｃｔｉｎｇ  ｐｒｏｔｅｉｎ  ｋｉｎａｓｅ（ＲＩＰＫ）２を介して、ＮＦ−κＢを活性化し、炎症反応の誘導や進展に重要な役割を果たしていることが明らかになっている。
【０００６】
ＰＹＲＩＮインフラマソームは、ＰＹＲＩＮ、ＡＳＣ、カスカーゼ１からなるタンパク質複合体である。ＰＹＲＩＮインフラマソームは、細胞内の危険な代謝産物や病原体を認識して多量体形成し、カスカーゼ１を近接活性化することで炎症性サイトカインであるＩＬ−１β前駆体を切断し、炎症を惹起する。ＰＹＲＩＮに遺伝的な変異のある患者においては、危険な代謝産物や病原体がなくてもインフラマソームの多量体がおこり、家族性地中海熱という炎症疾患の原因となる。
【０００７】
ＮＯＤ２ノドソームは、ＮＯＤ２、ＲＩＰＫ２からなるタンパク質複合体である。ＮＯＤ２ノドソームは、細胞内の細菌細胞壁のペプチドグリカンを認識して多量体形成し、ＮＦ−ｋＢを近接することで活性化し、炎症を惹起する。ＮＯＤ２に活性化型の遺伝的な変異のある患者においては、危険な代謝産物や病原体がなくてもＮＯＤ２ノドソームの多量体がおこり、Ｂｌａｕ症候群／若年性サルコイドーシスという炎症疾患の原因となる。ＮＯＤ２に機構欠失型の遺伝的な変異のある患者においては、炎症性腸疾患であるクローン病の発症リスクが高まる。
【発明の概要】
【発明が解決しようとする課題】
【０００８】
本発明の課題は、ＮＯＤ−ｌｉｋｅ受容体ファミリー、例えばＰＹＲＩＮインフラマソーム／ＮＯＤ２ノドソームの機能を調節し、ＰＹＲＩＮインフラマソーム／ＮＯＤ２ノドソーム関連疾患の治療及び／又は予防に有効な化合物を見出すことである。
【課題を解決するための手段】
【０００９】
本発明者らは、ＰＹＲＩＮインフラマソームを構成するＰＹＲＩＮとＡＳＣをコムギ無細胞タンパク質合成技術で合成し、ａｍｐｌｉｆｉｅｄ  ｌｕｍｉｎｅｓｃｅｎｔ  ｐｒｏｘｉｍｉｔｙ  ｈｏｍｏｇｅｎｅｏｕｓ  ａｓｓａｙを組み合わせ、試験管内無細胞ＰＹＲＩＮインフラマソーム再構成システムを構築し、また、ＮＯＤ２ノドソームを構成するＮｏｄ２とＲＩＰＫ２をコムギ無細胞タンパク質合成技術で合成し、ａｍｐｌｉｆｉｅｄ  ｌｕｍｉｎｅｓｃｅｎｔ  ｐｒｏｘｉｍｉｔｙ  ｈｏｍｏｇｅｎｅｏｕｓ  ａｓｓａｙを組み合わせ、試験管内無細胞ＮＯＤ２ノドソーム再構成システムを構築し、ＰＹＲＩＮインフラマソームとＮＯＤ２ノドソームの機能を調節する化合物を見出だした。
【００１０】
すなわち、本発明は以下に関する。
【発明の効果】
【００１１】
本発明により、ＮＯＤ−ｌｉｋｅ受容体ファミリー、例えばＰＹＲＩＮインフラマソーム／ＮＯＤ２ノドソームの機能を調節し、ＰＹＲＩＮインフラマソーム／ＮＯＤ２ノドソーム関連疾患の治療及び／又は予防に有効な化合物を提供することができる。
【図面の簡単な説明】
【００１２】
【図１】本発明の式（Ｉ）で示される化合物とアッセイデータを示す図である。
【図２】本発明の式（ＩＩ）で示される化合物とアッセイデータを示す図である。
【発明を実施するための形態】
【００１３】
以下に、本発明の実施形態について詳細に説明する。
【００１４】
定義
別段規定されない限り、明細書及び請求項を含む、本出願において用いられる次の用語は、以下に示される定義を有する。明細書及び添付の請求項において用いられる通り、単数形「ａ」、「ａｎ」、及び「ｔｈｅ」は、文脈が別のものを明確に示さない限り、複数の指示対象を含むことに注意すべきである。
【００１５】
「調節剤」は、標的と相互作用する分子を意味する。相互作用は、本明細書で定義される、アゴニスト、アンタゴニストなどを含むが、これらに限定されない。
【００１６】
「場合」又は「場合により」は、続いて記載される現象又は状況が、生じる必要がないこと、及び記載が、現象又は状況が生じる場合、及びそれが生じない場合を含むことを意味する。
【００１７】
「疾患」及び「疾患状態」は、任意の疾患、状態、症状、障害、又は兆候を意味する。
【００１８】
「医薬的に許容される」は、一般的に安全で、無毒性で、生物学的又はそうでなければ不所望でない医薬組成物の調製に有用であるものを意味し、獣医、並びにヒトの医薬上での使用に許容可能であるものを含む。
【００１９】
化合物の「医薬的に許容される塩」は、本明細書で定義される通り、医薬的に許容され、本化合物の所望の薬理活性を有する塩を意味する。
【００２０】
医薬的に許容される塩への全言及は、溶媒付加形態（溶媒和物）、又は同一の酸付加塩の本明細書で記載される結晶形態（多形）を含むことは理解されるべきである。
【００２１】
「溶媒和物」は、化学量論又は非化学量論いずれかの溶媒を含有する溶媒付加形態を意味する。いくつかの化合物は、結晶状の固形状態における固定されたモル比の溶媒分子を補足する傾向を有し、これにより溶媒和物が形成される。溶媒が水であれば、形成される溶媒和物は、水和物であり、溶媒がアルコ−ルであれば、形成される溶媒和物は、アルコラ−トである。水和物は、水の１個以上の分子を、１個の物質と組み合わせることにより形成され、ここで、かかる組み合わせが、１個以上の水和物を形成することが可能であるように、水は、Ｈ２Ｏとしてその分子状態を保持する。
【００２２】
「ＮＯＤ−ｌｉｋｅ受容体ファミリー関連疾患」は、外因又は内因（遺伝子性あるいは遺伝性）によるＮＯＤ−ｌｉｋｅ受容体ファミリー、例えばＰＹＲＩＮインフラマソーム／ＮＯＤ２ノドソームの機能の異常に関係する疾患及び状態を意味する。
【００２３】
「対象」は、哺乳類及び非哺乳類を意味する。哺乳類は、ヒト；非ヒト霊長類、例えば、チンパンジー、及び他の類人猿、及びサル種；家畜、例えば、ウシ、ウマ、ヒツジ、ヤギ、及びブタ；飼育動物、例えば、ウサギ、イヌ、及びネコ；げっ歯類、例えば、ラット、マウス、及びモルモットを含む研究用動物などを含むが、これらに限定されない任意のメンバーの動物を意味する。非哺乳類の例は、トリなどを含むが、これに限定されない。用語「対象」は、特定の年齢又は性別を示しはしない。
【００２４】
「治療上有効量」は、疾患状態を処置するために対象に投与されるとき、疾患状態のためのかかる処置を有効にするのに十分である、化合物の量を意味する。「治療上有効量」は、化合物、処置される疾患状態、処置される疾患の重症度、対象の年齢及び相対的な健康状態、投与経路及び形態、主治医又は獣医の判断、及び他の因子に依存して、変動するだろう。
【００２５】
用語「上で定義されたもの」及び「本明細書で定義されるもの」は、変化するものに言及するとき、参照により、変化するものの広範な定義、並びに必要であれば、特定の定義を包含する。
【００２６】
疾患状態の「処置すること」又は「処置」は、とりわけ、疾患状態を阻害すること、すなわち、疾患状態又はその臨床症状の発症を阻むこと、及び／又は疾患状態を緩和すること、すなわち、疾患状態又はその臨床症状の一次的又は永久的な退行を引き起こすことを含む。
【００２７】
用語「処理すること」、「接触させること」、及び「反応させること」は、化学反応手段に言及するとき、指定及び／又は所望の生成物を生じる適当な条件下で、２種以上の試薬を加えるか、又は混合することを意味する。指定及び／又は所望の生成物を生成する反応が、最初に加えられた２種の試薬の組み合わせから直接的に生じる必要がないこと、すなわち、混合物において生成される１個以上の中間体（指定及び／又は所望の生成物の形成を最終的に導く）が存在し得ることが考慮されるべきである。
【００２８】
命名法及び構造
一般に、本出願において用いられる命名法は、ＣＨＥＭＤＲＡＷ（登録商標）に基づく。本明細書に示される化学構造中の炭素、酸素、硫黄、又は窒素原子上に現れる任意の空原子価は、本明細書において、特に指定されない限り、水素原子の存在を示す。窒素含有ヘテロアリール環が、窒素原子上の空原子価で示され、変化するもの（例えば、Ｒａ、Ｒｂ、又はＲｃ）がヘテロアリール環上に示される場合、かかる変化するものは、空原子価窒素に結合するか、又は一緒になり得る。キラル中心が構造中に存在するが、特異的な立体化学がキラル中心について示されない場合、各キラル中心と関連する両方のエナンチオマーが、構造により包含される。本明細書に示される構造が多数の互変異性型で存在し得る場合、かかる互変異性型全てが、構造により包含される。構造中に表される原子は、本明細書において、かかる原子の全ての天然に存在するアイソトープを包含することが意図される。従って、例えば、本明細書において表される水素原子は、ジュウテリウム及びトリチウムを含むことが意味され、炭素原子は、Ｃ１３及びＣ１４アイソトープを含むことが意味される。
【００２９】
本明細書で同定される全ての特許及び刊行物は、本明細書において引用により全体に組み入れられる。
【００３０】
本発明のスクリーニング方法
［カスパーゼリクルートドメインを有するタンパク質間相互作用の検出方法］
本発明のカスパーゼリクルートドメイン（ＣＡＲＤ）を有するタンパク質間相互作用の検出方法は、第１標識で標識されたＣＡＲＤを有する第１タンパク質と第２標識で標識されたＣＡＲＤを有する第２タンパク質とを接触させる第１接触工程と、第１標識と第２標識との近接を検出する第１近接検出工程とを含むことを特徴とし、その他の工程および条件は、特に制限されない。本発明の検出方法によれば、例えば、第１標識と第２標識の近接を検出することで、これらの標識が標識されたＣＡＲＤを有するタンパク質間の相互作用を間接的に検出できる。
【００３１】
＜第１接触工程＞
本発明における第１接触工程は、第１標識で標識されたＣＡＲＤを有する第１タンパク質と第２標識で標識されたＣＡＲＤを有する第２タンパク質とを接触させる工程である。この工程では、第１タンパク質と第２タンパク質とを接触させることができればよい。ここで、第１タンパク質と第２タンパク質とを接触させる方法は、第１タンパク質と第２タンパク質とが相互作用することができるように接触させることができれば、特に限定されないが、例えば、適当な溶液中に第１タンパク質と第２タンパク質とを共存させることにより行うことができる。
【００３２】
（ＣＡＲＤを有する第１および第２タンパク質）
本発明において、第１タンパク質は、第１標識で標識されるＣＡＲＤを有するタンパク質をいい、第２タンパク質は、第２標識で標識されるＣＡＲＤを有するタンパク質をいい、第１タンパク質と第２タンパク質とは、ＣＡＲＤを介して相互作用することができれば、異なるタンパク質であってもよいし、同じタンパク質であってもよいが、異なるタンパク質であるのが好ましい。ここで、ＣＡＲＤは、デスドメインスーパーファミリーに属するホモフィリック相互作用ドメインであり、公知である。また、ＣＡＲＤを有するタンパク質は、ＣＡＲＤを介した相互作用により、タンパク質複合体を形成することが知られている。具体的には、例えば、ＮＯＤ１のＣＡＲＤとＲＩＣＫのＣＡＲＤとが、Ａｐａｆ−１のＣＡＲＤとカスパーゼ９のＣＡＲＤとが、ＮＬＲＣ４のＣＡＲＤとＡＳＣのＣＡＲＤとが、ＮＬＲＣ４のＣＡＲＤとカスパーゼ１のＣＡＲＤとが、ＣＡＲＤ８のＣＡＲＤとカスパーゼ１のＣＡＲＤとが、相互作用することが知られている。例えば、ＣＡＲＤは、下記配列番号９〜１１のアミノ酸配列が例示される。
【００３３】
配列番号９（ＣＡＲＤ（ＲＩＰＫ２））：
IAQQWIQSKREDIVNQMTEACLNQSLDALLSRDLIMKEDYELVSTKPTRTSKVRQLLDTTDIQGEEFAKVIVQKLKDNKQMGLQPYPEIL
【００３４】
配列番号１０（ＣＡＲＤ１（ＮＯＤ２））：
MGEEGGSASHDEEERASVLLGHSPGCEMCSQEAFQAQRSQLVELLVSGSLEGFESVLDWLLSWEVLSWEDYEGFHLLGQPLSHLARRLLDTVWNKGTWACQKLIAAAQEAQADSQSPKLHGCWDPHSLHP
【００３５】
配列番号１１（ＣＡＲＤ２（ＮＯＤ２））：
ARDLQSHRPAIVRRLHSHVENMLDLAWERGFVSQYECDEIRLPIFTPSQRARRLLDLATVKANGLAAFLLQHVQELPVPLALPLEAATCK
【００３６】
本発明において、ＣＡＲＤを有するタンパク質は、ＣＡＲＤを有すれば、特に制限されず、天然に存在するタンパク質でもよいし、公知の遺伝子組換え技術を用いて作成された人工タンパク質でもよい。また、ＣＡＲＤを有するタンパク質には、例えば、ＣＡＲＤを有するポリヌクレオチドも含まれる。天然タンパク質としては、例えば、Ａｐａｆ−１アポプトソーム等のアポプトソームのサブユニット（Ａｐａｆ−１等）、ＮＬＲＣ４インフラマソーム、ＰＹＲＩＮインフラマソーム等のインフラマソームのサブユニット（ＮＬＲＣ４、ＡＳＣ、ＰＹＲＩＮ等）、ＮＯＤ１ノドソーム、ＮＯＤ２ノドソーム等のノドソームのサブユニット（ＮＯＤ１、ＲＩＣＫ等）、カスパーゼ１、カスパーゼ９等のカスパーゼ、ＣＡＲＤ８等が挙げられ、人工タンパク質としては、例えば、ＮＬＲＣ４インフラマソーム、ＰＹＲＩＮインフラマソーム等のインフラマソームのサブユニット、ＮＯＤ２ノドソーム等のノドソームのサブユニット等に基づき、設計、作製された、ＣＡＲＤを有するタンパク質が挙げられる。
【００３７】
本発明における第１タンパク質および第２タンパク質は、例えば、第１タンパク質が、ＣＡＲＤを介して相互作用するタンパク質複合体（好ましくは、ノドソーム）のサブユニットに由来するアミノ酸配列を含み、第２タンパク質が、前記サブユニットとは別の前記タンパク質複合体のサブユニットに由来するアミノ酸配列を含むことが好ましい。第１タンパク質および第２タンパク質が、このようなアミノ酸配列を含むことで、例えば、特定のタンパク質複合体（好ましくは、ノドソーム）における、サブユニット間のＣＡＲＤを介した相互作用による複合体形成について、調査することが可能となる。
【００３８】
本発明におけるＣＡＲＤを有するタンパク質として、具体的には、下記配列番号１および３のアミノ酸配列を含むタンパク質が例示される。
【００３９】
配列番号１（ＲＩＰＫ２（ＣＡＲＤ））：
KAQDCYFMKLHHCPGNHSWDSTISGSQRAAFCDHKTTPCSSAIINPLSTAGNSERLQPGIAQQWIQSKREDIVNQMTEACLNQSLDALLSRDLIMKEDYELVSTKPTRTSKVRQLLDTTDIQGEEFAKVIVQKLKDNKQMGLQPYPEILVVSRSPSLNLLQNKSM
【００４０】
配列番号３（ＮＯＤ２）：
MGEEGGSASHDEEERASVLLGHSPGCEMCSQEAFQAQRSQLVELLVSGSLEGFESVLDWLLSWEVLSWEDYEGFHLLGQPLSHLARRLLDTVWNKGTWACQKLIAAAQEAQADSQSPKLHGCWDPHSLHPARDLQSHRPAIVRRLHSHVENMLDLAWERGFVSQYECDEIRLPIFTPSQRARRLLDLATVKANGLAAFLLQHVQELPVPLALPLEAATCKKYMAKLRTTVSAQSRFLSTYDGAETLCLEDIYTENVLEVWADVGMAGPPQKSPATLGLEELFSTPGHLNDDADTVLVVGEAGSGKSTLLQRLHLLWAAGQDFQEFLFVFPFSCRQLQCMAKPLSVRTLLFEHCCWPDVGQEDIFQLLLDHPDRVLLTFDGFDEFKFRFTDRERHCSPTDPTSVQTLLFNLLQGNLLKNARKVVTSRPAAVSAFLRKYIRTEFNLKGFSEQGIELYLRKRHHEPGVADRLIRLLQETSALHGLCHLPVFSWMVSKCHQELLLQEGGSPKTTTDMYLLILQHFLLHATPPDSASQGLGPSLLRGRLPTLLHLGRLALWGLGMCCYVFSAQQLQAAQVSPDDISLGFLVRAKGVVPGSTAPLEFLHITFQCFFAAFYLALSADVPPALLRHLFNCGRPGNSPMARLLPTMCIQASEGKDSSVAALLQKAEPHNLQITAAFLAGLLSREHWGLLAECQTSEKALLRRQACARWCLARSLRKHFHSIPPAAPGEAKSVHAMPGFIWLIRSLYEMQEERLARKAARGLNVGHLKLTFCSVGPTECAALAFVLQHLRRPVALQLDYNSVGDIGVEQLLPCLGVCKALYLRDNNISDRGICKLIECALHCEQLQKLALFNNKLTDGCAHSMAKLLACRQNFLALRLGNNYITAAGAQVLAEGLRGNTSLQFLGFWGNRVGDEGAQALAEALGDHQSLRWLSLVGNNIGSVGAQALALMLAKNVMLEELCLEENHLQDEGVCSLAEGLKKNSSLKILKLSNNCITYLGAEALLQALERNDTILEVWLRGNTFSLEEVDKLGCRDTRLLL
【００４１】
また、本発明におけるＣＡＲＤを有するタンパク質は、例えば、配列番号１および３のアミノ酸配列において、変異が生じたタンパク質であってもよい。このような変異タンパク質は、例えば、元のアミノ酸配列に対して、１もしくは数個、１〜６０個、１〜３０個、１〜２４個、１〜１８個、１〜１２個、１〜６個、１〜３個、１個または２個のアミノ酸が欠失、置換、挿入および／または付加されたアミノ酸配列を含むおよび／またはからなるタンパク質であってもよいし、元のアミノ酸配列に対して、８０％以上、８５％以上、９０％以上、９５％以上、９６％以上、９７％以上、９８％以上、９９％以上の同一性を有するアミノ酸配列を含むおよび／またはからなるタンパク質であってもよい。なお、本発明において、個数の数値範囲は、例えば、その範囲に属する正の整数を全て開示するものである。つまり、例えば、「１〜３個」との記載は、「１、２、３個」の全ての開示を意味する（以下、同様）。また、同一性は、例えば、ＢＬＡＳＴ、ＦＡＳＴＡ等の解析ソフトウェアを用いて、デフォルトのパラメータにより算出できる（以下、同様）。
【００４２】
本発明において、ＣＡＲＤを有するタンパク質は、例えば、さらにタグ配列を含んでもよい。タグ配列としては、ＦＬＡＧおよびＢＬＳ（ｂｉｏｔｉｎ−ｌｉｇａｔｉｏｎ−ｓｉｔｅ）、グルタチオンＳ−トランスフェラーゼ（ＧＳＴ）、ポリヒスチジン、ｃ−ｍｙｃ等が挙げられ、好ましくは、ＦＬＡＧおよびＢＬＳである。ＦＬＡＧは、下記配列番号１２のアミノ酸配列で示され、ＢＬＳは、下記配列番号１３のアミノ酸配列で示される。
【００４３】
配列番号１２（ＦＬＡＧ配列）：DYKDDDDK
【００４４】
配列番号１３（ＢＬＳ配列）：GLNDIFEAQKIEWHE
【００４５】
本発明における、さらにタグ配列を含むＣＡＲＤを有するタンパク質として、具体的には、下記配列番号２および４のアミノ酸配列を含むタンパク質が例示される。また、これらのアミノ酸配列において、変異が生じたタンパク質（上述の記載が援用される）も、さらにタグ配列を含むＣＡＲＤを有するタンパク質として例示される。
【００４６】
配列番号２（ＲＩＰＫ２（ＣＡＲＤ）−ＦＬＡＧ）：
MKAQDCYFMKLHHCPGNHSWDSTISGSQRAAFCDHKTTPCSSAIINPLSTAGNSERLQPGIAQQWIQSKREDIVNQMTEACLNQSLDALLSRDLIMKEDYELVSTKPTRTSKVRQLLDTTDIQGEEFAKVIVQKLKDNKQMGLQPYPEILVVSRSPSLNLLQNKSMSGASAGDPAFLYKVVDYKDDDDK
【００４７】
配列番号４（ＮＯＤ２−ｂｉｏｔｉｎ）：
MGEEGGSASHDEEERASVLLGHSPGCEMCSQEAFQAQRSQLVELLVSGSLEGFESVLDWLLSWEVLSWEDYEGFHLLGQPLSHLARRLLDTVWNKGTWACQKLIAAAQEAQADSQSPKLHGCWDPHSLHPARDLQSHRPAIVRRLHSHVENMLDLAWERGFVSQYECDEIRLPIFTPSQRARRLLDLATVKANGLAAFLLQHVQELPVPLALPLEAATCKKYMAKLRTTVSAQSRFLSTYDGAETLCLEDIYTENVLEVWADVGMAGPPQKSPATLGLEELFSTPGHLNDDADTVLVVGEAGSGKSTLLQRLHLLWAAGQDFQEFLFVFPFSCRQLQCMAKPLSVRTLLFEHCCWPDVGQEDIFQLLLDHPDRVLLTFDGFDEFKFRFTDRERHCSPTDPTSVQTLLFNLLQGNLLKNARKVVTSRPAAVSAFLRKYIRTEFNLKGFSEQGIELYLRKRHHEPGVADRLIRLLQETSALHGLCHLPVFSWMVSKCHQELLLQEGGSPKTTTDMYLLILQHFLLHATPPDSASQGLGPSLLRGRLPTLLHLGRLALWGLGMCCYVFSAQQLQAAQVSPDDISLGFLVRAKGVVPGSTAPLEFLHITFQCFFAAFYLALSADVPPALLRHLFNCGRPGNSPMARLLPTMCIQASEGKDSSVAALLQKAEPHNLQITAAFLAGLLSREHWGLLAECQTSEKALLRRQACARWCLARSLRKHFHSIPPAAPGEAKSVHAMPGFIWLIRSLYEMQEERLARKAARGLNVGHLKLTFCSVGPTECAALAFVLQHLRRPVALQLDYNSVGDIGVEQLLPCLGVCKALYLRDNNISDRGICKLIECALHCEQLQKLALFNNKLTDGCAHSMAKLLACRQNFLALRLGNNYITAAGAQVLAEGLRGNTSLQFLGFWGNRVGDEGAQALAEALGDHQSLRWLSLVGNNIGSVGAQALALMLAKNVMLEELCLEENHLQDEGVCSLAEGLKKNSSLKILKLSNNCITYLGAEALLQALERNDTILEVWLRGNTFSLEEVDKLGCRDTRLLLSGASAGDPAFLYKVVGLNDIFEAQKIEWHE
【００４８】
本発明において、ＣＡＲＤを有するタンパク質は、例えば、リンカーペプチド等のその他のアミノ酸配列を適宜含んでもよい。
【００４９】
本発明において、ＣＡＲＤを有するタンパク質は、無細胞タンパク質合成系で合成されてもよく、細胞タンパク質合成系により合成されてもよいが、無細胞タンパク質合成系で合成されるのが好ましく、なかでもコムギ無細胞タンパク質合成系により合成されるのが好ましい。
【００５０】
（第１および第２標識）
本発明において、第１標識および第２標識は、両標識の近接を検出可能に設計された標識であり、それぞれＣＡＲＤを有するタンパク質を標識する。これらの標識として、例えば、１）Ａｌｐｈａ、２）表面プラズモン共鳴法、３）蛍光相関分析法、４）蛍光強度分布解析法、５）ＦＲＥＴ、６）ＢＲＥＴ、７）ＥＦＣ、８）ＰＣＡ、９）ＦＰ、等の一般公知の方法により検出可能に設計された標識を使用でき、好ましくは、Ａｌｐｈａ用標識およびＦＲＥＴ用標識であり、特に好ましくは、Ａｌｐｈａ用標識である。
【００５１】
本発明において、第１標識および第２標識は、前述のとおり、両標識の近接を検出可能に設計された標識であれば、特に制限されず、化学物質であってもよく、タンパク質やペプチドであってもよく、化学物質によって標識されたペプチドであってもよい。
【００５２】
＜第１近接検出工程＞
本発明における第１近接検出工程は、第１標識と第２標識との近接を検出する工程であり、第１標識と第２標識とが近接していることを検出できればよい。ここで、第１標識と第２標識とが近接していることを検出する方法は、特に限定されず、一般公知の近接検出方法が使用できるが、通常、第１標識と第２標識の種類に応じて、適切な近接検出方法が選択される。具体的に、第１標識と第２標識との近接の検出は、例えば、第１標識および第２標識がＡｌｐｈａ用標識である場合、Ａｌｐｈａ法による検出であり、第１標識および第２標識がＦＲＥＴ用標識である場合、ＦＲＥＴ法による検出である。本発明では、第１標識および第２標識としてＡｌｐｈａ用標識を用いて、Ａｌｐｈａ法によりこれら標識の近接を検出するのが好ましい。なお、本発明において、第１標識と第２標識とが近接しているとは、前述のような近接検出方法により、第１標識と第２標識とが近接していると検出される距離にあることをいう。
【００５３】
［パイリンドメイン（ＰＹＤ）を有するタンパク質間相互作用の検出方法］
本発明のパイリンドメイン（ＰＹＤ）を有するタンパク質間相互作用の検出方法は、第３標識で標識されたＰＹＤを有する第３タンパク質と第４標識で標識されたＰＹＤを有する第４タンパク質とを接触させる第２接触工程と、第３標識と第４標識との近接を検出する第２近接検出工程とを含むことを特徴とし、その他の工程および条件は、特に制限されない。本発明の検出方法によれば、例えば、第３標識と第４標識の近接を検出することで、これらの標識が標識されたＰＹＤを有するタンパク質間の相互作用を間接的に検出できる。
【００５４】
＜第２接触工程＞
本発明における第２接触工程は、第３標識で標識されたＰＹＤを有する第３タンパク質と第４標識で標識されたＰＹＤを有する第４タンパク質とを接触させる工程である。この工程では、第３タンパク質と第４タンパク質とを接触させることができればよく、接触方法は、前述の第１接触工程における説明を、第１タンパク質を第３タンパク質に、第２タンパク質を第４タンパク質に代えて、援用できる。
【００５５】
（ＰＹＤを有する第３および第４タンパク質）
本発明において、第３タンパク質は、第３標識で標識されるＰＹＤを有するタンパク質をいい、第４タンパク質は、第４標識で標識されるＰＹＤを有するタンパク質をいい、第３タンパク質と第４タンパク質とは、ＰＹＤを介して相互作用することができれば、異なるタンパク質であってもよいし、同じタンパク質であってもよいが、異なるタンパク質であるのが好ましい。ここで、ＰＹＤは、デスドメインスーパーファミリーに属するホモフィリック相互作用ドメインであり、公知である。また、ＰＹＤを有するタンパク質は、ＰＹＤを介した相互作用により、タンパク質複合体を形成することが知られている。具体的には、例えば、ＮＬＲＰ３のＰＹＤとＡＳＣのＰＹＤとが、ＡＩＭ２のＰＹＤとＡＳＣのＰＹＤとが、ＰＯＰ１のＰＹＤとＡＳＣのＰＹＤとが、ＰＯＰ２のＰＹＤとＡＳＣのＰＹＤとが、Ｍｙｘｏｍａ  ｖｉｒｕｓのＭ１３Ｌ−ＰＹＤとＡＳＣのＰＹＤとが、Ｓｈｏｐｅ  ｆｉｂｒｏｍａ  ｖｉｒｕｓのＳ０１３Ｌ−ＰＹＤとＡＳＣのＰＹＤとが、相互作用することが知られている。例えば、ＰＹＤは、下記配列番号１４および１５のアミノ酸配列が例示される。
【００５６】
配列番号１４（ＰＹＤ（ＡＳＣ））：
MGRARDAILDALENLTAEELKKFKLKLLSVPLREGYGRIPRGALLSMDALDLTDKLVSFYLETYGAELTANVLRDMGLQEMAGQLQAATHQ
【００５７】
配列番号１５（ＰＹＤ（ＰＹＲＩＮ））：
MAKTPSDHLLSTLEELVPYDFEKFKFKLQNTSVQKEHSRIPRSQIQRARPVKMATLLVTYYGEEYAVQLTLQVLRAINQRLLAEELHRAAIQ
【００５８】
ＰＹＤを有するタンパク質は、ＰＹＤを有すれば、特に制限されず、天然に存在するタンパク質でもよいし、公知の遺伝子組換え技術を用いて作成された人工タンパク質でもよい。また、ＰＹＤを有するタンパク質には、例えば、ＰＹＤを有するポリヌクレオチドも含まれる。天然タンパク質としては、例えば、ＮＬＲＰ３インフラマソーム、ＡＩＭ２インフラマソーム、ＮＬＲＣ４インフラマソーム、ＰＹＲＩＮインフラマソーム等のインフラマソームのサブユニット（ＮＬＲＰ３、ＡＩＭ２、ＮＬＲＣ４、ＰＹＲＩＮ、ＡＳＣ等）、ＰＯＰ１、ＰＯＰ２、Ｍ１３Ｌ、Ｓ０１３Ｌ等が挙げられ、人工タンパク質としては、例えば、ＮＬＲＣ４インフラマソーム、ＰＹＲＩＮインフラマソーム等のインフラマソームのサブユニット等のサブユニットに基づき、設計、作製された、ＰＹＤを有するタンパク質が挙げられる。
【００５９】
本発明における第３タンパク質および第４タンパク質は、例えば、第３タンパク質が、ＰＹＤを介して相互作用するタンパク質複合体（好ましくは、インフラマソーム）のサブユニットに由来するアミノ酸配列を含み、第４タンパク質が、前記サブユニットとは別の前記タンパク質複合体のサブユニットに由来するアミノ酸配列を含むことが好ましい。第３タンパク質および第４タンパク質が、このようなアミノ酸配列を含むことで、例えば、特定のタンパク質複合体（好ましくは、インフラマソーム）における、サブユニット間のＰＹＤを介した相互作用による複合体形成について、調査することが可能となる。
【００６０】
本発明におけるＰＹＤを有するタンパク質として、具体的には、下記配列番号５および７のアミノ酸配列を含むタンパク質が例示される。
【００６１】
配列番号５（ＡＳＣ（ＰＹＤ））：
MGRARDAILDALENLTAEELKKFKLKLLSVPLREGYGRIPRGALLSMDALDLTDKLVSFYLETYGAELTANVLRDMGLQEMAGQLQAATHQ
【００６２】
配列番号７（ＰＹＲＩＮ（ＰＹＤ））：
MAKTPSDHLLSTLEELVPYDFEKFKFKLQNTSVQKEHSRIPRSQIQRARPVKMATLLVTYYGEEYAVQLTLQVLRAINQRLLAEELHRAAIQEYSTQENG
【００６３】
また、本発明におけるＰＹＤを有するタンパク質は、例えば、配列番号５および７のアミノ酸配列において、変異が生じたタンパク質であってもよく、また、例えば、さらにタグ配列を含んでもよく、前述のＣＡＲＤを有するタンパク質における説明を援用できる。
【００６４】
本発明における、さらにタグ配列を含むＰＹＤを有するタンパク質として、具体的には、下記配列番号６および８のアミノ酸配列を含むタンパク質が例示される。また、これらのアミノ酸配列において、変異が生じたタンパク質（上述の記載が援用される）も、さらにタグ配列を含むＰＹＤを有するタンパク質として例示される。
【００６５】
配列番号６（ＦＬＡＧ−ＡＳＣ（ＰＹＤ））：
MDYKDDDDKTSLYKKAGFHPPPPMGRARDAILDALENLTAEELKKFKLKLLSVPLREGYGRIPRGALLSMDALDLTDKLVSFYLETYGAELTANVLRDMGLQEMAGQLQAATHQSGASAGDPAFLYKVV
【００６６】
配列番号８（ＰＹＲＩＮ（ＰＹＤ）−ｂｉｏｔｉｎ）：
MAKTPSDHLLSTLEELVPYDFEKFKFKLQNTSVQKEHSRIPRSQIQRARPVKMATLLVTYYGEEYAVQLTLQVLRAINQRLLAEELHRAAIQEYSTQENGSGASAGDPAFLYKVVGLNDIFEAQKIEWHE
【００６７】
本発明において、ＰＹＤを有するタンパク質は、例えば、その他のアミノ酸配列を適宜含んでもよく、無細胞タンパク質合成系で合成されてもよく、細胞タンパク質合成系により合成されてもよく、前述のＣＡＲＤを有するタンパク質における説明を援用できる。
【００６８】
（第３および第４標識）
本発明において、第３標識および第４標識は、両標識の近接を検出可能に設計された標識であり、それぞれＰＹＤを有する第３タンパク質および第４タンパク質を標識し、前述の第１および第２標識における説明を、第３標識および第４標識の説明として援用できる。
【００６９】
＜第２近接検出工程＞
本発明における第２近接検出工程は、第３標識および第４標識との近接を検出する工程であり、第３標識と第４標識とが近接していることを検出できればよい。ここで、第３標識と第４標識とが近接していることを検出する方法は、前述の第１近接検出工程における説明を、第１標識を第３標識に、第２標識を第４標識に代えて、援用できる。
【００７０】
［ＣＡＲＤを有するタンパク質間相互作用阻害剤および／または促進剤のスクリーニング方法］
本発明のＣＡＲＤを有するタンパク質間相互作用阻害剤および／または促進剤のスクリーニング方法は、被験物質を、第１標識で標識されたＣＡＲＤを有する第１タンパク質および／または第２標識で標識されたＣＡＲＤを有する第２タンパク質と接触させる第１前処理工程と、本発明のＣＡＲＤを有するタンパク質間相互作用の検出方法により、第１タンパク質と第２タンパク質との相互作用を検出する第１相互作用検出工程と、第１タンパク質と第２タンパク質との相互作用を減少させる被験物質を、相互作用阻害剤として選択し、および／または、第１タンパク質と第２タンパク質との相互作用を増加させる被験物質を、相互作用促進剤として選択する第１選択工程を含むことを特徴とし、その他の工程および条件は、特に制限されない。このスクリーニング方法によれば、被験物質が、ＣＡＲＤを有するタンパク質間の相互作用を阻害および／または促進するのかを、前述の相互作用検出方法により試験して、ＣＡＲＤを有するタンパク質間相互作用阻害剤および／または促進剤をスクリーニングできる。
【００７１】
＜第１前処理工程＞
本発明における第１前処理工程は、被験物質を、第１標識で標識されたＣＡＲＤを有する第１タンパク質および／または第２標識で標識されたＣＡＲＤを有する第２タンパク質と接触させる工程であり、被験物質を、第１タンパク質および／または第２タンパク質と接触させることができればよい。ここで、被験物質を、第１タンパク質および／または第２タンパク質と接触させる方法は、被験物質と第１タンパク質および／または第２タンパク質とが相互作用することができるように接触させることができれば、特に限定されないが、例えば、適当な溶液中に被験物質と第１タンパク質および／または第２タンパク質とを共存させることにより行うことができる。なお、第１および第２タンパク質ならびに第１および第２標識は、前述の説明を援用できる。
【００７２】
（被験物質）
本発明において、被験物質は、特に制限されず、例えば、低分子化合物、ペプチド、タンパク質、核酸等が挙げられる。
【００７３】
＜第１相互作用検出工程＞
本発明における第１相互作用検出工程は、本発明のＣＡＲＤを有するタンパク質間相互作用の検出方法により、第１タンパク質と第２タンパク質との相互作用を検出する工程である。第１タンパク質と第２タンパク質との相互作用を検出する方法は、前述の説明を援用できる。
【００７４】
＜第１選択工程＞
本発明における第１選択工程は、第１タンパク質と第２タンパク質との相互作用を減少させる被験物質を、相互作用阻害剤として選択し、および／または、第１タンパク質と第２タンパク質との相互作用を増加させる被験物質を、相互作用促進剤として選択する工程である。
【００７５】
本発明における第１選択工程では、例えば、被験物質を、第１タンパク質および／または第２タンパク質と接触させていない場合の第１タンパク質と第２タンパク質との相互作用を基準として、被験物質を、第１タンパク質および／または第２タンパク質と接触させた場合の第１タンパク質と第２タンパク質との相互作用の減少および／または増加を判断してもよい。
【００７６】
本発明のＣＡＲＤを有するタンパク質間相互作用阻害剤および／または促進剤のスクリーニング方法は、例えば、第１タンパク質が、ノドソームのサブユニットに由来するアミノ酸配列を含み、第２タンパク質が、前記サブユニットとは別の前記ノドソームのサブユニットに由来するアミノ酸配列を含む場合、被験物質の前記ノドソームにおけるタンパク質間相互作用への影響を試験できることから、例えば、第１タンパク質と第２タンパク質との相互作用を減少させる被験物質を、ノドソーム阻害剤として選択し、および／または、第１タンパク質と第２タンパク質との相互作用を増加させる被験物質を、ノドソーム促進剤として選択できる。
【００７７】
本発明のＣＡＲＤを有するタンパク質間相互作用阻害剤および／または促進剤のスクリーニング方法は、例えば、第１タンパク質が、配列番号１のアミノ酸配列を含み、第２タンパク質が、配列番号３のアミノ酸配列を含む場合、被験物質のＮＯＤ２ノドソームにおけるタンパク質間相互作用への影響を試験できることから、例えば、第１タンパク質と第２タンパク質との相互作用を減少させる被験物質を、ＮＯＤ２ノドソーム阻害剤として選択できる。
【００７８】
［ＰＹＤを有するタンパク質間相互作用阻害剤および／または促進剤のスクリーニング方法］
本発明のＰＹＤを有するタンパク質間相互作用阻害剤および／または促進剤のスクリーニング方法は、被験物質を、第３標識で標識されたＰＹＤを有する第３タンパク質および／または第４標識で標識されたＰＹＤを有する第４タンパク質と接触させる第２前処理工程と、本発明のＰＹＤを有するタンパク質間相互作用の検出方法により、第３タンパク質と第４タンパク質との相互作用を検出する第２相互作用検出工程と、第３タンパク質と第４タンパク質との相互作用を減少させる被験物質を、相互作用阻害剤として選択し、および／または、第３タンパク質と第４タンパク質との相互作用を増加させる被験物質を、相互作用促進剤として選択する第２選択工程を含むことを特徴とし、その他の工程および条件は、特に制限されない。このスクリーニング方法によれば、被験物質が、ＰＹＤを有するタンパク質間の相互作用を阻害および／または促進するのかを、前述の相互作用検出方法により試験して、ＰＹＤを有するタンパク質間相互作用阻害剤および／または促進剤をスクリーニングできる。ここで、本発明のＰＹＤを有するタンパク質間相互作用阻害剤および／または促進剤のスクリーニング方法は、本発明のＣＡＲＤを有するタンパク質間相互作用阻害剤および／または促進剤のスクリーニング方法において、本発明のＣＡＲＤを有するタンパク質間相互作用の検出方法を、本発明のＰＹＤを有するタンパク質間相互作用の検出方法に代えて行う以外は、同様の方法で行うことができ、前述の説明を援用できる。
【００７９】
本発明のＰＹＤを有するタンパク質間相互作用阻害剤および／または促進剤のスクリーニング方法は、例えば、第３タンパク質が、インフラマソームのサブユニットに由来するアミノ酸配列を含み、第４タンパク質が、前記サブユニットとは別の前記インフラマソームソームのサブユニットに由来するアミノ酸配列を含む場合、被験物質の前記インフラマソームソームにおけるタンパク質間相互作用への影響を試験できることから、例えば、第３タンパク質と第４タンパク質との相互作用を減少させる被験物質を、インフラマソームソーム阻害剤として選択し、および／または、第３タンパク質と第４タンパク質との相互作用を増加させる被験物質を、インフラマソームソーム促進剤として選択できる。
【００８０】
本発明のスクリーニング方法は、例えば、第３タンパク質が、配列番号５のアミノ酸配列を含み、第４タンパク質が、配列番号７のアミノ酸配列を含む場合、被験物質のパイリンインフラマソームにおけるタンパク質間相互作用への影響を試験できることから、例えば、第３タンパク質と第４タンパク質との相互作用を減少させる被験物質を、パイリンインフラマソーム阻害剤として選択できる。
【００８１】
また、本発明のスクリーニング方法は、例えば、ＰＹＤを有するタンパク質間の相互作用阻害剤および／または促進剤のスクリーニングならびにＣＡＲＤを有するタンパク質間の相互作用阻害剤および／または促進剤のスクリーニングを適宜組み合わせてスクリーニングすることができる。例えば、ＮＯＤ２ノドソーム阻害剤をスクリーニングし、ＰＹＲＩＮインフラマソーム阻害剤をスクリーニングするか、ＰＹＲＩＮインフラマソーム阻害剤をスクリーニングし、ＮＯＤ２ノドソーム阻害剤をスクリーニングすることで、ＮＯＤ２ノドソーム／ＰＹＲＩＮインフラマソーム阻害剤をスクリーニングできる。また、例えば、被験物質に対して、同時にＰＹＤを有するタンパク質間の相互作用阻害剤および／または促進剤のスクリーニングならびにＣＡＲＤを有するタンパク質間の相互作用阻害剤および／または促進剤のスクリーニングを行うこともできる。
【００８２】
本発明の化合物
本発明の化合物は、ＮＯＤ−ｌｉｋｅ受容体ファミリー、例えばＰＹＲＩＮインフラマソーム／ＮＯＤ２ノドソームの機能を調整することができ、本発明の化合物としては、例えば、
式（Ｉ）：
【化１】
2018173409.tif 000002
及び／又は
式（ＩＩ）：
【化２】
2018173409.tif 000003
並びにそれらの医薬的に許容される塩が挙げられる。
【００８３】
本発明の化合物としては、例えば、
Ｎ−（２−ヒドロキシ−５−ニトロベンジル）−２−（４−（フェニルアミノ）フェノキシ）アセトアミド、
４−（４−クロロフェニル）−５−フェニルチアゾール−２−アミン、
並びにそれらの医薬的に許容される塩が挙げられる。
【００８４】
本発明の化合物は、市販で入手可能であるか、文献で既知であるか、又は当業者が標準的な方法を用いて容易に得られる。
【００８５】
本発明はまた、ＮＯＤ−ｌｉｋｅ受容体ファミリー、例えばＰＹＲＩＮインフラマソーム／ＮＯＤ２ノドソームにより仲介されるか、又はそうでなければこれと関連する疾患又は状態を処置する方法であって、対象に有効量の本発明の化合物を投与することを含む、方法を提供する。
【００８６】
ＮＯＤ−ｌｉｋｅ受容体ファミリー関連疾患は、例えば、自己炎症疾患（例えばクリオピリン関連周期熱症候群）、神経変性疾患（例えば、アルツハイマー病）、２型糖尿病、粥状動脈硬化症、特発性線維症を含む。
【００８７】
ＮＯＤ−ｌｉｋｅ受容体ファミリー関連疾患は、例えば、クリオピリン関連周期熱症候群、アルツハイマー病、２型糖尿病、粥状動脈硬化症、アミロイドーシス、脂肪性肝炎、痛風、偽痛風、パーキンソン病、全身性炎症反応症候群、メタボリックシンドローム、特発性線維症、石綿肺、珪肺、加齢黄斑変性、筋萎縮性側索硬化症、海綿状脳症、又はアレルギーを含む。
【００８８】
ＮＯＤ−ｌｉｋｅ受容体ファミリー関連疾患は、例えば、ＰＹＲＩＮインフラマソーム／ＮＯＤ２ノドソーム関連疾患を含む。
【００８９】
ＰＹＲＩＮインフラマソーム関連疾患は、例えば家族性地中海熱（ＦＭＦ）（周期的な発熱発作と漿膜炎が特徴）が挙げられる。
【００９０】
ＮＯＤ２ノドソーム関連疾患は、例えばＢｌａｕ症候群／若年性サルコイドーシス（皮下脂肪織肉芽種とぶどう膜炎）が挙げられる。
【００９１】
本発明はまた、ＮＯＤ−ｌｉｋｅ受容体ファミリー関連疾患、例えばＰＹＲＩＮインフラマソーム／ＮＯＤ２ノドソーム関連疾患の治療及び／又は予防的処置に治療上有効量な物質として使用するための、本明細書に記載される化合物を提供する。
【００９２】
本発明はまた、ＮＯＤ−ｌｉｋｅ受容体ファミリー関連疾患、例えばＰＹＲＩＮインフラマソーム／ＮＯＤ２ノドソーム関連疾患の治療及び／又は予防的処置における、本明細書に記載される化合物の使用を提供する。
【００９３】
投与方法及び医薬組成物
本発明は、少なくとも１個の本発明の化合物、又は個々の異性体、異性体のラセミ又は非ラセミ混合物、又は医薬的に許容される塩又はその溶媒和物を、少なくとも１個の医薬的に許容される担体、及び場合により他の治療及び／又は予防成分と一緒に含む、医薬組成物を含む。
【００９４】
一般的に、本発明の化合物は、治療上有効量で、同様の実用性を発揮する剤の許容される投与方法のいずれかにより、投与される。適当な投薬範囲は、多数の要因、例えば、処置されるべき疾患の重症度、対象の年齢及び血縁の健康、用いられる化合物の効能、投与経路及び形態、投与が指示される兆候、及び関与する医療実施者の優先及び経験に依存して、典型的には、１日当たり１〜５００ｍｇ、例えば、１日当たり１〜１００ｍｇ、いくつかの実施態様において、１日当たり１〜３０ｍｇである。かかる疾患を処置する当業者の１人は、過度の実験なく、個人の知識及び本出願の開示によって、所定の疾患に対して治療上有効量の本発明の化合物を確実にすることが可能だろう。
【００９５】
本発明の化合物は、経口（口腔及び舌下を含む）、直腸、鼻、局所、肺、膣、又は非経腸（筋肉内、動脈内、くも膜下腔内、皮下、及び静脈内を含む）投与に適当なものを含む医薬製剤として、又は吸入又は注入による投与に適当な形態で、投与され得る。特定の投与方法は、一般に、苦痛の程度により判断され得る好都合な１日投薬計画を用いた、経口である。
【００９６】
本発明の化合物又は複数の化合物は、１個以上の通常のアジュバント、担体、又は希釈剤と一緒に、医薬組成物及び単位投薬量の形態にされ得る。医薬組成物及び単位投薬形態は、通常の割合で、更なる有効な化合物又は素あり又はなしで、通常の成分からなり、単位投薬形態は、任意の適当な有効量の同等の有効成分を、用いられるべき意図された１日用量範囲で含有し得る。医薬組成物は、固形物、例えば、錠剤又は充填されたカプセル剤、半固形物、粉剤、持続放出製剤、又は液体、例えば、液剤、懸濁剤、乳剤、エリキシル剤、又は経口使用用の充填されたカプセル剤として；又は直腸又は膣内投与用の座薬形態で；又は非経腸使用用の無菌の注入可能な溶液の形態で、用いられ得る。１錠剤当たり有効成分約１ｍｇ、又はより広範には、約０．０１〜約１００ｍｇを含有する製剤は、従って、代表的な単位投薬形態である。
【００９７】
本発明の化合物は、広範な経口投与投薬形態で製剤され得る。医薬組成物及び投薬形態は、本発明の化合物又は複数の化合物、又はその医薬的に許容される塩を有効成分として含み得る。医薬的に許容される担体は、固形又は液体のいずれかであり得る。固形形態製剤は、粉剤、錠剤、ピル、カプセル剤、カシェー、座薬、及び分散可能な顆粒剤を含む。固形担体は、希釈剤、香料、可溶化剤、滑沢剤、懸濁化剤、結合剤、保存剤、錠剤崩壊剤、又は封入材料としても作用し得る１個以上の物質であってもよい。粉剤において、担体は、一般に、精巧に分割される有効な成分との混合物である、精巧に分割された固形物である。錠剤において、有効な成分は、一般に、適当な割合で必要な結合能を有する担体と混合され、所望の形及び大きさに圧縮される。粉剤及び錠剤は、約１〜約７０％の有効化合物を含有し得る。適当な担体は、炭酸マグネシウム、ステアリン酸マグネシウム、タルク、糖、ラクト−ス、ペクチン、デキストリン、スターチ、ゼラチン、トラガカント、メチルセルロ−ス、ナトリウムカルボキシメチルセルロ−ス、低融点ワックス、カカオバターなどを含むが、これらに限定されない。用語「製剤」は、有効成分が、有効な化合物の担体としての封入剤との薬剤を含みことが意図され、これは、担体あり又はなしで、関連する担体によって包まれているカプセル剤をもたらす。同様に、カシェー及びトローチが含まれる。錠剤、粉剤、カプセル剤、ピル剤、カシェー、及びトローチは、経口投与に適当な固形形態であり得る。
【００９８】
経口投与に適当な他の形態は、乳剤、シロップ剤、エレキシル剤、水性液剤、水性懸濁剤を含む液体形態製剤、又は使用前に液体製剤形態に簡単に変換されることが意図されている固形形態製剤を含む。乳剤は、溶液、例えば、プロピレングリコ−ル水溶液中で調製され得るか、又は乳化剤、例えば、レシチン、ソルビタンモノオレエ−ト、又はアカシアを含有し得る。水溶液は、有効成分を水中に溶解し、適当な着色剤、香料、安定剤、及び増粘剤を加えることにより、調製され得る。水性懸濁剤は、精巧に分割される有効成分を水中で、粘性材料、例えば、天然又は合成ゴム、樹脂、メチルセルロ−ス、ナトリウムカルボキシメチルセルロ−ス、及び他の周知の懸濁化剤と共に分散させることにより、調製され得る。固形形態製剤は、溶剤、懸濁剤、及び乳剤を含み、有効成分に加えて、着色剤、香料、安定剤、バッファー、人工又は天然甘味料、分散剤、増粘剤、溶解剤などを含有し得る。
【００９９】
本発明の化合物は、非経腸投与（例えば、注射、例えば、ボ−ラス注射、又は持続点滴による）用に製剤され得、アンプル剤、予め充填されたシリンジ、少量注射、又は添加された保存剤とともに多用量容器中、単位用量形態で提供され得る。組成物は、油性又は水性ビークル中の懸濁液、溶液、又は乳液のような形態を生じ得る（例えば、水性ポリエチレングリコ−ル中の溶液）。油性又は非水性担体、希釈剤、溶媒、又はビークルの例は、プロピレングリコ−ル、ポリエチレングリコ−ル、植物油（例えば、オリーブオイル）、及び注射可能な有機エステル（例えば、オレイン酸エチル）を含み、製剤化の剤、例えば、保存剤、湿潤剤、乳化剤、又は懸濁剤、安定化剤、及び／又は分散剤を含有し得る。或は、有効成分は、粉末形態であってもよく、適当なビークル、例えば、無菌のピロゲンフリーの水と共に使用前に構成させるため、無菌固形物の無菌的単離、又は溶液からの凍結乾燥により得られてもよい。
【０１００】
本発明の化合物は、軟膏、クリーム剤、又はローション剤、又は経皮パッチとして表皮への局所投与のために製剤化されてもよい。軟膏及びクリーム剤は、例えば、適当な増粘剤及び／又はゲル化剤を加えることにより、水性又は油性基剤で製剤化され得る。ローション剤は、水性又は油性基剤で製剤化されて、１つ以上の乳化剤、増粘剤、分散剤、懸濁化剤、濃化剤、又は着色剤を含有する。口腔内における局所投与に適当な製剤は、風味付けされた基剤、通常、スクロ−ス、及びアカシア、又はトラガカント中に含むトローチ剤；有効成分を不活性な基剤、例えば、ゼラチン及びグリセリン、又はスクロ−ス及びアカシア中に含むトローチ；及び有効成分を適当な液体担体中に含むマウスウォッシュを含む。
【０１０１】
本発明の化合物は、座薬として投与するために製剤化され得る。低融点ワックス、例えば、脂肪酸グリセリド、又はカカオバターの混合物が、まず融解されて、有効成分が、例えば、撹拌により均一に分散される。次に、融解された均一の混合物が、好都合な大きさの型に注がれ、凝固するまでそのまま冷却される。
【０１０２】
本発明の化合物は、膣内投与のため製剤化され得る。有効成分に加えて、当該技術分野で既知の担体を含有するペッサリー、タンポン、クリーム、ジェル、ペースト、フォーム、又はスプレーが適当である。
【０１０３】
本発明の化合物は、経鼻投与のため製剤化され得る。溶液又は懸濁液は、鼻腔に、通常の方法、例えば、スポイト、ピペット、又はスプレーで直接適用される。製剤は、単一又は多用量形態で提供され得る。スポイト又はピペットの後者の場合、これは、適当な予め決められた容量の溶液又は懸濁液を患者が投与することにより、達成され得る。スプレー剤の場合、これは、例えば、散布スプレーポンプを計量することにより、達成され得る。
【０１０４】
本発明の化合物は、エアロゾル投与（具体的には、気道へ）（鼻腔内投与を含む）のため製剤化され得る。化合物は、一般に、小粒子サイズ、例えば、５μ未満である。かかる粒子サイズは、当該技術分野で既知の手段、例えば、微粒子化により得られ得る。有効成分は、圧縮パック中、適当な噴霧剤、例えば、クロロフルオロカーボン（ＣＦＣ）、例えば、ジクロロジフルオロメタン、トリクロロフルオロメタン、又はジクロロテトラフルオロエタン、又は二酸化炭素、又は他の適当なガスと共に提供される。エアロゾルは、通常、界面活性剤、例えば、レシチンも含有する。薬物の用量は、計量されたバルブにより制御され得る。或は、有効成分は、乾燥粉末、例えば、適当な粉末基剤、例えば、ラクト−ス、スターチ、スターチ誘導体、例えば、ヒドロキシプロピルメチルセルロ−ス、及びポリビニルピロリジン（ＰＶＰ）中の化合物の粉末混合物の形態で提供され得る。粉末担体は、鼻腔においてジェルを形成する。粉末組成物は、単位用量形態、例えば、ゼラチン又はブリスターパックのカプセル剤、又はカートリッジ中、又はブリスターパック（そこから、粉末が吸入により投与される）で提示され得る。
【０１０５】
所望なら、製剤は、有効成分の持続又は制御された放出投与に適合した腸溶コーティングで調製され得る。例えば、本発明の化合物は、経皮又は皮下薬物デリバリー装置中に処方され得る。これらのデリバリーシステムは、化合物の持続放出が必要であり、患者の処置投薬計画順守が極めて重要であるとき、有利である。経皮デリバリーシステムにおける化合物は、しばしば、皮膚接着固形支持体に結合される。目的の化合物はまた、貫通増強剤、例えば、アゾン（１−ドデシルアザシクロヘプタン−２−オン）と組み合わされ得る。持続放出デリバリーシステムは、手術又は注射により、皮下層に皮下挿入される。皮下移植物は、化合物を脂質溶解膜、例えば、シリコンラバー、又は生分解性ポリマー、例えば、ポリ乳酸中に包埋される。
【０１０６】
医薬製剤は、単位投薬形態であり得る。かかる形態において、製剤は、適当な量の有効成分を含有する単位用量に分割される。単位投薬形態は、パッケージ化された製剤、個別の量の製剤を含有するパッケージ、例えば、パッケージ化された錠剤、カプセル剤、バイアル又はアンプル剤中の粉剤であり得る。又、単位投薬形態は、カプセル剤、錠剤、カシェー、又はトローチであり得るか、又はパッケージ化形態での適当な数のこれらのいずれかであり得る。
【０１０７】
他の適当な医薬担体及びその製剤は、Ｅ．  Ｗ．  Ｍａｒｔｉｎ，  Ｍａｃｋ  Ｐｕｂｌｉｓｈｉｎｇ  Ｃｏｍｐａｎｙ，  １９ｔｈ  ｅｄｉｔｉｏｎ，  Ｅａｓｔｏｎ，  Ｐｅｎｎｓｙｌｖａｎｉａにより編集されたＲｅｍｉｎｇｔｏｎ：  Ｔｈｅ  Ｓｃｉｅｎｃｅ  ａｎｄ  Ｐｒａｃｔｉｃｅ  ｏｆ  Ｐｈａｒｍａｃｙ  １９９５に記載される。本発明の化合物を含有する代表的な医薬製剤は、後述される。
【実施例】
【０１０８】
以下の調製及び実施例は、当業者が、本発明をより明確に理解し、実施することを可能にするために示される。それらは、本発明の範囲を制限すると見なされるべきではなく、単にその説明及び描写と見なされるべきである。
【０１０９】
化合物調製
本発明の化合物は、市販で入手可能であるか、文献で既知であるか、又は当業者が標準的な方法を用いて容易に得られる。
【０１１０】
試験例１：試験管内無細胞ノドソーム再構成システムを用いたノドソームを調節する化合物のスクリーニング
【０１１１】
・ノドソームを調節する化合物のスクリーニング
・１次スクリーニング
１．目的
コムギ無細胞タンパク質合成系を用いて調製したＲＩＰＫ２及びＮＯＤ２並びにＡｌｐｈａＳｃｒｅｅｎを用いて再構成したノドソームを調節する化合物を探索した。
【０１１２】
２．試薬
ＮＯＤ２−ｂｉｏｔｉｎ（コムギ無細胞合成）
ＲＩＰＫ２（ＣＡＲＤ）−ＦＬＡＧ（コムギ無細胞合成）
ＡＳＣ−ＦＬＡＧ（コムギ無細胞合成）
Ｔｒｉｓ（ナカライテスク、特級）
Ｔｗｅｅｎ２０（ＳｉｇｍａＡｌｄｒｉｃｈ，  ＢｉｏＸｔｒａ）
ＢＳＡ（和光純薬、１級）
Ｍｏｎｏｃｌｏｎａｌ  ＡＮＴＩ−ＦＬＡＧ  Ｍ２  ａｎｔｉｂｏｄｙ  ｐｒｏｄｕｃｅｄ  ｉｎ  ｍｏｕｓｅ  （ＳＩＧＭＡ，ＬＯＴ  Ｎｏ．ＳＬＢＧ５３１１）
ＡｌｐｈａＳｃｒｅｅｎ  ＩｇＧ  ＰｒｏｔｅｉｎＡ  ｄｅｔｅｃｔｉｏｎ  ｋｉｔ  （ＰｅｒｋｉｎＥｌｍｅｒ，  ６７６０６１７）
【０１１３】
以下に示すように、コムギ無細胞タンパク質合成系を用いて、ＮＯＤ２−ｂｉｏｔｉｎ、ＲＩＰＫ２（ＣＡＲＤ）−ＦＬＡＧ、及びＡＳＣ−ＦＬＡＧを合成した。
【０１１４】
ＮＯＤ２の全長配列は先行論文（Ｏｇｕｒａ  Ｙ  ｅｔ  ａｌ  Ｊ  Ｂｉｏｌ  Ｃｈｅｍ．  ２００１  Ｆｅｂ  １６；２７６（７）：４８１２−８）で作成したｐｃＤＮＡ３−Ｎｏｄ２（ａｃｃｅｓｓｉｏｎ  ｎｕｍｂｅｒ：  ＡＦ１７８９３０）を鋳型にした。
【０１１５】
前段落のＰＣＲ産物を鋳型として、以下のプライマーセットを使ってＰＣＲ増幅した。配列番号１６（ａｔｔＢ１−Ｓ１）：
５’−ＧＧＧＧＡＣＡＡＧＴＴＴＧＴＡＣＡＡＡＡＡＡＧＣＡＧＧＣＴＴＣＣＡＣＣＣＡＣＣＡＣＣＡＣＣＡＡＴＧ−３’
配列番号１７（ａｔｔＢ２−Ｔ１）：
５’−ＧＧＧＧＡＣＣＡＣＴＴＴＧＴＡＣＡＡＧＡＡＡＧＣＴＧＧＧＴＣＴＣＣＡＧＣＡＣＴＡＧＣＴＣＣＡＧＡ−３’
【０１１６】
前段落のＰＣＲ産物をＧａｔｅｗａｙＴＭ  ｐＤＯＮＲＴＭ２２１  Ｖｅｃｔｏｒ  （ｐＤＯＮＲ２２１）にＧａｔｅｗａｙＴＭ  ＢＰ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）によって組み込み、ｐＤＯＮＲ２２１−ＮＯＤ２−ＦＬプラスミドを合成した。
【０１１７】
ｐＤＯＮＲ２２１−ＮＯＤ２−ＦＬプラスミドをＧａｔｅｗａｙＴＭ  ＬＲ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）を使ってｐＥＵ−Ｅ０１−ＧＷ−ｂｌｓ−ＳＴＯＰに組み込んだ。
【０１１８】
ＷＥＰＲＯ１２４０  Ｅｘｐｒｅｓｓｉｏｎ  Ｋｉｔを使い、以下のプロトコルで、ＮＯＤ２−ｂｉｏｔｉｎを合成した。
【０１１９】
【表１】
2018173409.tif 000004
【０１２０】
ＲＩＰＫ２配列は、先行論文（Ｉｎｏｈａｒａ  Ｎ  ｅｔ  ａｌ  Ｊ  Ｂｉｏｌ  Ｃｈｅｍ．  １９９８    Ｍａｙ  １５；２７３（２０）：１２２９６−３００）で作成したｐｃＤＮＡ３−ＲＩＣＫ−Ｍｙｃ  （ａｃｃｅｓｓｉｏｎ  ｎｕｍｂｅｒ：  ＡＦ０２７７０６）を鋳型にした。
【０１２１】
ＲＩＰＫ２（ＣＡＲＤ）をコードするヌクレオチド配列は、以下のプライマーセットを使ってＰＣＲ増幅した。
配列番号１８（Ｓ１−ＲＩＣＫ（ｅｘｏｎ１０）−Ｆ）：
５’−ＣＣＡＣＣＣＡＣＣＡＣＣＡＣＣＡＡＴＧＡＡＡＧＣＴＣＡＡＧＡＣＴＧＴＴＡＴＴＴＴ−３’
配列番号１９（ＲＩＣＫ−Ｔ１（Ｆ）＿Ｒ）：
５’−ＴＣＣＡＧＣＡＣＴＡＧＣＴＣＣＡＧＡＣＡＴＧＣＴＴＴＴＡＴＴＴＴＧＡＡＧＴＡＡＡＴＴＴＡ−３’
【０１２２】
ＡＳＣをコードするヌクレオチド配列は、以下のプライマーセットを使ってＰＣＲ増幅した。
配列番号２０（Ｓ１−ＡＳＣ（ＰＹＤ）＿Ｆ）：
５’−ＣＣＡＣＣＣＡＣＣＡＣＣＡＣＣＡＡＴＧＧＧＧＣＧＣＧＣＧＣＧＣＧＡＣ−３’
配列番号２１（ＡＳＣ（ＣＡＲＤ）−Ｔ１（Ｆ）＿Ｒ）：
５’−ＴＣＣＡＧＣＡＣＴＡＧＣＴＣＣＡＧＡＧＣＴＣＣＧＣＴＣＣＡＧＧＴＣＣＴＣＣ−３’
【０１２３】
前段落のＰＣＲ産物を鋳型として、以下のプライマーセットを使ってＰＣＲ増幅した。配列番号１６（ａｔｔＢ１−Ｓ１）：
５’−ＧＧＧＧＡＣＡＡＧＴＴＴＧＴＡＣＡＡＡＡＡＡＧＣＡＧＧＣＴＴＣＣＡＣＣＣＡＣＣＡＣＣＡＣＣＡＡＴＧ−３’
配列番号１７（ａｔｔＢ２−Ｔ１）：
５’−ＧＧＧＧＡＣＣＡＣＴＴＴＧＴＡＣＡＡＧＡＡＡＧＣＴＧＧＧＴＣＴＣＣＡＧＣＡＣＴＡＧＣＴＣＣＡＧＡ−３’
【０１２４】
前段落のＰＣＲ産物をＧａｔｅｗａｙＴＭ  ｐＤＯＮＲＴＭ２２１  Ｖｅｃｔｏｒ  （ｐＤＯＮＲ２２１）にＧａｔｅｗａｙＴＭ  ＢＰ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）によって組み込み、ｐＤＯＮＲ２２１−ＲＩＰＫ２（ＣＡＲＤ）、及びｐＤＯＮＲ２２１−ＡＳＣプラスミドを合成した。
【０１２５】
ｐＤＯＮＲ２２１−ＲＩＰＫ２（ＣＡＲＤ）、及びｐＤＯＮＲ２２１−ＡＳＣプラスミドをＧａｔｅｗａｙＴＭ  ＬＲ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）を使ってｐＥＵ−Ｅ０１−ＧＷ−ＦＬＡＧ−ＳＴＯＰに組み込んだ。
【０１２６】
ＷＥＰＲＯ１２４０  Ｅｘｐｒｅｓｓｉｏｎ  Ｋｉｔを使い、以下のプロトコルで、ＲＩＰＫ２（ＣＡＲＤ）−ＦＬＡＧ、及びＡＳＣ−ＦＬＡＧを合成した。
【０１２７】
【表２】
2018173409.tif 000005
【０１２８】
試験例１：試験管内無細胞ＰＹＲＩＮインフラマソーム再構成システムを用いたインフラマソームを調節する化合物のスクリーニング
・インフラマソームを調節する化合物のスクリーニング
・１次スクリーニング
【０１２９】
１．目的
コムギ無細胞タンパク質合成系を用いて調製したＡＳＣ及びＰＹＲＩＮ並びにＡｌｐｈａＳｃｒｅｅｎを用いて再構成したノドソームを調節する化合物を探索した。
【０１３０】
２．試薬
ＰＹＲＩＮ（ＰＹＤ）−ｂｉｏｔｉｎ（コムギ無細胞合成）
ＦＬＡＧ−ＡＳＣ（ＰＹＤ）（コムギ無細胞合成）
ＦＬＡＧ−ＡＳＣ（ＣＡＲＤ）（コムギ無細胞合成）
Ｔｒｉｓ（ナカライテスク、特級）
Ｔｗｅｅｎ２０（ＳｉｇｍａＡｌｄｒｉｃｈ，  ＢｉｏＸｔｒａ）
ＢＳＡ（和光純薬、１級）
Ｍｏｎｏｃｌｏｎａｌ  ＡＮＴＩ−ＦＬＡＧ  Ｍ２  ａｎｔｉｂｏｄｙ  ｐｒｏｄｕｃｅｄ  ｉｎ  ｍｏｕｓｅ  （ＳＩＧＭＡ，ＬＯＴ  Ｎｏ．ＳＬＢＧ５３１１）
ＡｌｐｈａＳｃｒｅｅｎ  ＩｇＧ  ＰｒｏｔｅｉｎＡ  ｄｅｔｅｃｔｉｏｎ  ｋｉｔ  （ＰｅｒｋｉｎＥｌｍｅｒ，  ６７６０６１７）
【０１３１】
以下に示すように、コムギ無細胞タンパク質合成系を用いて、ＰＹＲＩＮ（ＰＹＤ）−ｂｉｏｔｉｎ、ＦＬＡＧ―ＡＳＣ（ＰＹＤ）、ＦＬＡＧ―ＡＳＣ（ＣＡＲＤ）を合成した。
【０１３２】
ＰＹＲＩＮ（ＰＹＤ）の配列は先行論文（Ｓｕｇｉｙａｍａ  Ｒ  ｅｔ  ａｌ  Ｍｏｌ  Ｂｉｏｌ  Ｒｅｐ．  ２０１４  Ｊａｎ；４１（１）：５４５−５３）で作成したｐＦＬＡＧ−ＣＭＶ−４−ｐｙｒｉｎ−ＷＴを鋳型にした。
【０１３３】
ｐＦＬＡＧ−ＣＭＶ−４−ｐｙｒｉｎ−ＷＴを鋳型として、以下のプライマーセットを使ってＰＣＲ増幅した。
配列番号２２（Ｓ１−ＰＹＲＩＮ＿Ｆ）：
５’−ＣＣＡＣＣＣＡＣＣＡＣＣＡＣＣＡＡＴＧＧＣＴＡＡＧＡＣＣＣＣＴＡＧＴＧＡＣＣ−３’
配列番号２３（ＰＹＲＩＮ（ＰＹＤ）−Ｔ1（Ｎ）＿Ｒ）：
５‘−ＴＣＣＡＧＣＡＣＴＡＧＣＴＣＣＡＧＡＧＣＣＧＴＴＴＴＣＴＴＧＴＧＴ−３’
【０１３４】
前段落のＰＣＲ産物を鋳型として、以下のプライマーセットを使ってＰＣＲ増幅した。配列番号１６（ａｔｔＢ１−Ｓ１）：
５’−ＧＧＧＧＡＣＡＡＧＴＴＴＧＴＡＣＡＡＡＡＡＡＧＣＡＧＧＣＴＴＣＣＡＣＣＣＡＣＣＡＣＣＡＣＣＡＡＴＧ−３’
配列番号１７（ａｔｔＢ２−Ｔ１）：
５’−ＧＧＧＧＡＣＣＡＣＴＴＴＧＴＡＣＡＡＧＡＡＡＧＣＴＧＧＧＴＣＴＣＣＡＧＣＡＣＴＡＧＣＴＣＣＡＧＡ−３’
【０１３５】
前段落のＰＣＲ産物をＧａｔｅｗａｙＴＭ  ｐＤＯＮＲＴＭ２２１  Ｖｅｃｔｏｒ  （ｐＤＯＮＲ２２１）にＧａｔｅｗａｙＴＭ  ＢＰ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）によって組み込み、ｐＤＯＮＲ２２１−ＰＹＲＩＮ（ＰＹＤ）プラスミドを合成した。
【０１３６】
ｐＤＯＮＲ２２１−ＰＹＲＩＮ（ＰＹＤ）プラスミドをＧａｔｅｗａｙＴＭ  ＬＲ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）を使ってｐＥＵ−Ｅ０１−ＧＷ−ｂｌｓ−ＳＴＯＰに組み込んだ。
【０１３７】
ＷＥＰＲＯ１２４０  Ｅｘｐｒｅｓｓｉｏｎ  Ｋｉｔを使い、以下のプロトコルで、ＮＯＤ２−ｂｉｏｔｉｎを合成した。
【０１３８】
【表３】
2018173409.tif 000006
【０１３９】
ＡＳＣ配列は、先行論文（Ｍａｓｕｍｏｔｏ  ｅｔ  ａｌ  Ｊ  Ｂｉｏｌ  Ｃｈｅｍ．  １９９９  Ｎｏｖ  ２６；２７４（４８）：３３８３５−８）で作成したｐｃＤＮＡ３−ＡＳＣ  （ａｃｃｅｓｓｉｏｎ  ｎｕｍｂｅｒ：  ＡＢ０２３４１６）  を鋳型にした。
【０１４０】
ＡＳＣ（ＰＹＤ）をコードするヌクレオチド配列は、以下のプライマーセットを使ってＰＣＲ増幅した。
配列番号２０（Ｓ１−ＡＳＣ（ＰＹＤ）＿Ｆ）：
５’−ＣＣＡＣＣＣＡＣＣＡＣＣＡＣＣＡＡＴＧＧＧＧＣＧＣＧＣＧＣＧＣＧＡＣ−３’
配列番号２４（ＡＳＣ（ＰＹＤ）−Ｔ１（Ｆ）＿Ｒ）：
５’−ＴＣＣＡＧＣＡＣＴＡＧＣＴＣＣＡＧＡＣＴＧＧＴＧＣＧＴＧＧＣＣＧＣＣＴＧＣＡＧ−３’
【０１４１】
ＡＳＣ（ＣＡＲＤ）をコードするヌクレオチド配列は、以下のプライマーセットを使ってＰＣＲ増幅した。
配列番号２５（Ｓ１−ＡＳＣ（ＣＡＲＤ）＿Ｆ）：
５’−ＣＣＡＣＣＣＡＣＣＡＣＣＡＣＣＡＡＴＧＧＧＣＣＴＧＣＡＣＴＴＴＡＴＡＧＡＣＣＡＧＣ−３’
配列番号２１（ＡＳＣ（ＣＡＲＤ）−Ｔ１（Ｆ）＿Ｒ）：
５’−ＴＣＣＡＧＣＡＣＴＡＧＣＴＣＣＡＧＡＧＣＴＣＣＧＣＴＣＣＡＧＧＴＣＣＴＣＣ−３’
【０１４２】
前段落のＰＣＲ産物を鋳型として、以下のプライマーセットを使ってＰＣＲ増幅した。配列番号１６（ａｔｔＢ１−Ｓ１）：
５’−ＧＧＧＧＡＣＡＡＧＴＴＴＧＴＡＣＡＡＡＡＡＡＧＣＡＧＧＣＴＴＣＣＡＣＣＣＡＣＣＡＣＣＡＣＣＡＡＴＧ−３’
配列番号１７（ａｔｔＢ２−Ｔ１）：
５’−ＧＧＧＧＡＣＣＡＣＴＴＴＧＴＡＣＡＡＧＡＡＡＧＣＴＧＧＧＴＣＴＣＣＡＧＣＡＣＴＡＧＣＴＣＣＡＧＡ−３’
【０１４３】
前段落のＰＣＲ産物をＧａｔｅｗａｙＴＭ  ｐＤＯＮＲＴＭ２２１  Ｖｅｃｔｏｒ  （ｐＤＯＮＲ２２１）にＧａｔｅｗａｙＴＭ  ＢＰ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）によって組み込み、ｐＤＯＮＲ２２１−ＡＳＣ（ＰＹＤ）、及びｐＤＯＮＲ２２１−ＡＳＣ（ＣＡＲＤ）プラスミドを合成した。
【０１４４】
ｐＤＯＮＲ２２１−ＡＳＣ（ＰＹＤ）、及びｐＤＯＮＲ２２１−ＡＳＣ（ＣＡＲＤ）プラスミドをＧａｔｅｗａｙＴＭ  ＬＲ  Ｃｌｏｎａｓｅ（登録商標）  ＩＩ  Ｅｎｚｙｍｅ  ｍｉｘ  （Ｌｉｆｅ  Ｔｅｃｈｎｏｌｏｇｉｅｓ，  Ｃａｒｌｓｂａｄ，  Ｃａｌｉｆｏｒｎｉａ，  ＵＳＡ）を使ってｐＥＵ−Ｅ０１−ＦＬＡＧ−ＧＷ−ＳＴＯＰに組み込んだ。
【０１４５】
ＷＥＰＲＯ１２４０  Ｅｘｐｒｅｓｓｉｏｎ  Ｋｉｔを使い、以下のプロトコルで、ＦＬＡＧ−ＡＳＣ（ＰＹＤ）、及びＦＬＡＧ−ＡＳＣ（ＣＡＲＤ）を合成した。
【０１４６】
【表４】
2018173409.tif 000007
【０１４７】
３．器具・機器
Ｏｐｔｉ  ｐｌａｔｅ−３８４（ＰｅｒｋｉｎＥｌｍｅｒ，  ６００７２９９）
Ｐｅｃｕｓ  電動ピペット（Ｓａｒｔｏｒｉｕｓ，  ７３５３４１）
ＦｌｅｘＤｒｏｐ  ＰＬＵＳ（ＰｅｒｋｉｎＥｌｍｅｒ，  ＦｌｅｘＤｒｏｐ）
インキュベーター（サンヨー）
ボルテックス（ＭＳ機器）
ＥｎＶｉｓｉｏｎ  Ｍｕｌｔｉｌａｂｅｌ  Ｒｅａｄｅｒ（ＰｅｒｋｉｎＥｌｍｅｒ，  ２１０４−００１０）
【０１４８】
４．実験手順
（１）ストック試薬の調製
（１）−１  １Ｍ  Ｔｒｉｓ−ＨＣｌ  ｐＨ８．０
（１）−２  ０．１％  Ｔｗｅｅｎ２０
（１）−３  １０ｍｇ／ｍＬ  ＢＳＡ
【０１４９】
（２）サンプルの調製
（２）−１  タンパク希釈液の調製
【０１５０】
【表５】
2018173409.tif 000008
【０１５１】
Ｃｏｎｔｒｏｌタンパク質の希釈液作製
【表６】
2018173409.tif 000009
【０１５２】
Ｂａｃｋｇｒｏｕｎｄタンパク質の希釈液作製
【表７】
2018173409.tif 000010
【０１５３】
（２）−２  ビーズ希釈液の調製
【０１５４】
【表８】
2018173409.tif 000011
【０１５５】
（３）分注、反応
（３）−１  プレートフォーマット
【０１５６】
【表９】
2018173409.tif 000012
【０１５７】
（３）−２
ＦｌｅｘＤｒｏｐにて３８４ｗｅｌｌプレートに、ビオチン化タンパク質希釈液を９．８μＬ／ｗｅｌｌずつ、全面に分注した。
【０１５８】
（３）−３
遠心機でスピンダウンした。
【０１５９】
（３）−４
ＦｌｅｘＤｒｏｐにて３８４ｗｅｌｌプレートに、ＦＬＡＧタグつきＣｏｎｔｒｏｌタンパク質希釈液を１０．０μＬ／ｗｅｌｌずつ、２−２３行に分注した。
【０１６０】
（３）−５
ＢｉｏＨｉｔにて３８４ｗｅｌｌプレートに、ＦＬＡＧタグつきＢａｃｋｇｒｏｕｎｄタンパク質希釈液タンパク液を１０．０μＬ／ｗｅｌｌずつ、１，２４行に分注した。
【０１６１】
（３）−６
遠心機でスピンダウンした。
【０１６２】
（３）−７
遮光下で、ＦｌｅｘＤｒｏｐにて３８４ｗｅｌｌプレートに、ビーズ希釈液を１０．０μＬ／ｗｅｌｌずつ、全面に分注した。
【０１６３】
（３）−８
遠心機でスピンダウンした。
【０１６４】
（３）−９
遮光下、２５℃、２４時間インキュベーションした。
【０１６５】
（４）測定
Ｅｎｖｉｓｉｏｎで測定。ＢａｃｋｇｒｏｕｎｄとＣｏｎｔｒｏｌの測定値を以下に示す。
【０１６６】
【表１０】
2018173409.tif 000013
【０１６７】
【表１１】
2018173409.tif 000014
【０１６８】
５．データ処理
（１）データＱＣ
ＢａｃｋｇｒｏｕｎｄとＣｏｎｔｒｏｌの測定値からプレート毎のＳ／Ｂ、ＣＶ（Ｂａｃｋｇｒｏｕｎｄ、Ｃｏｎｔｒｏｌ）、Ｚ’を算出した（ｎ＝３２）。
・Ｓ／Ｂ＝ＭｅａｎＣ／ＭｅａｎＢ
・ＣＶ（％）＝１００（ＳＤＢ／ＭｅａｎＢ）および１００（ＳＤＣ／ＭｅａｎＣ）
・Ｚ’＝１−（３ＳＤＢ＋３ＳＤＣ）／（ＭｅａｎＣ−ＭｅａｎＢ）
【０１６９】
（２）阻害率計算
Ｃｏｎｔｒｏｌを反応１００％（ＮＯＤ２の場合、ＮＯＤ２−ｂｉｏｔｉｎとＲＩＰＫ２（ＣＡＲＤ）−ＦＬＡＧの相互作用によるシグナル；ＰＹＲＩＮの場合、ＰＹＲＩＮ−ｂｉｏｔｉｎとＦＬＡＧ−ＡＳＣ（ＰＹＤ）の相互作用によるシグナル）、Ｂａｃｋｇｒｏｕｎｄを反応０％（ＮＯＤ２の場合、ＮＯＤ２−ｂｉｏｔｉｎとＡＳＣ−ＦＬＡＧによるシグナル；ＰＹＲＩＮの場合、ＰＹＲＩＮ−ｂｉｏｔｉｎとＦＬＡＧ−ＡＳＣ（ＣＡＲＤ）によるシグナル）として阻害率（ＩｎＨ％）を算出した。
・ＩｎＨ（％）＝１００｛１−（Ｓａｍｐｌｅ−Ｂａｃｋｇｒｏｕｎｄ）／（Ｃｏｎｔｒｏｌ−Ｂａｃｋｇｒｏｕｎｄ）｝
ＭｅａｎＢ：Ｂａｃｋｇｒｏｕｎｄの平均値
ＭｅａｎＣ：Ｃｏｎｔｒｏｌの平均値
ＳＤＢ：Ｂａｃｋｇｒｏｕｎｄの標準偏差
ＳＤＣ：Ｃｏｎｔｒｏｌの標準偏差
【０１７０】
上記アッセイを用いて阻害率を計算し、前記式（Ｉ）の化合物及び式（ＩＩ）の化合物を得た。結果を図１及び図２に示す。
【図１】
2018173409.tif 000017
【図２】
2018173409.tif 000018
【配列表】
2018173409000001.app